(57)【要約】【課題】  無線携帯端末の徹底した省電力化を可能とする無線ＬＡＮの省電力方法を提供する。【解決手段】  携帯端末装置は、ビーコン信号をサーチして所望のアクセスポイントから送られてきたビーコン情報を取得し、該アクセスポイントからの認証と接続許可を受けてデータ送受信に必要な情報をネットワーク情報保持部２３に保持する。携帯端末装置は、アクセスポイントとの間でデータ送受信を行う度に次のデータ送受信までの時間をタイマＡで監視し、所定の時間内に次のデータ送受信が行われないと、省電力制御部３３は送受信部１への電力供給を停止する。更に、送受信部１への電力供給が停止されているときに操作部３の入力操作によって送信データが発生すると、省電力制御部３３は送受信部１への電力供給を再開する。送受信部１は、保持しているネットワーク情報に基づいてアクセスポイントへのデータ送信を行う。【選択図】      図１
2006005577.tif 000002
【特許請求の範囲】
【請求項１】
未認証の携帯端末装置が無線ＬＡＮを介して周期的に送信されるビーコン信号をサーチして所望のアクセスポイントから送られてきたビーコン・フレーム情報を取得するサーチ処理と、
前記取得したビーコン・フレーム情報に基づいて前記携帯端末装置から前記アクセスポイントに対して認証要求を行って該アクセスポイントの認証を受ける認証処理と、
前記認証を受けた前記携帯端末装置が前記アクセスポイントに対して接続要求を行って該アクセスポイントから接続許可を受ける接続処理と、
前記接続許可を受けた前記携帯端末装置が前記アクセスポイントとの間でのデータ送受信に必要なネットワーク情報を保持する情報保持処理と、
前記接続許可を受けた前記携帯端末装置が前記アクセスポイントとの間でデータ送受信を行う度に次のデータ送受信までの時間を監視し、所定の時間内に次のデータ送受信が行われなかったときに該アクセスポイントとの間でデータ送受信を行うハードウエアへの電力供給を停止する電力停止処理と、
前記ハードウエアへの電力供給が停止されているときに、前記携帯端末装置の入力操作によって前記アクセスポイントへ送信する送信データが発生したときに、該ハードウエアへの電力供給を再開する電力供給処理と、
前記ハードウエアへの電力供給の再開後、前記ネットワーク情報に基づいて前記アクセスポイントへのデータ送信を行う送信再開処理とを、
行うことを特徴とする無線ＬＡＮの省電力方法。
【請求項２】
未認証の携帯端末装置が無線ＬＡＮを介して周期的に送信されるビーコン信号をサーチして所望のアクセスポイントから送られてきたビーコン・フレーム情報を取得するサーチ処理と、
前記取得したビーコン・フレーム情報に基づいて前記携帯端末装置から前記アクセスポイントに対して認証要求を行って該アクセスポイントから認証を受ける認証処理と、
前記認証を受けた前記携帯端末装置が前記アクセスポイントに対して接続要求を行って該アクセスポイントから接続許可を受ける接続処理と、
前記接続許可を受けた前記携帯端末装置が前記アクセスポイントとの間のデータ送受信に必要なネットワーク情報を保持する情報保持処理と、
前記接続許可を受けた前記携帯端末装置が前記アクセスポイントとの間でデータ送受信を行う度に次のデータ送受信までの間の時間を監視し、所定の時間内に次のデータ送受信が行われなかったときに該アクセスポイントから受けた前記認証を解除する認証解除処理と、
前記認証解除処理の後、前記携帯端末装置が前記アクセスポイントとの間でデータ送受信を行うハードウエアへの電力供給を停止する電力停止処理と、
前記ハードウエアへの電力供給が停止されているときに、前記携帯端末装置の入力操作によって前記アクセスポイントへ送信する送信データが発生したときに、該ハードウエアへの電力供給を再開する電力供給処理と、
前記ハードウエアへの電力供給の再開後、前記ネットワーク情報に基づいて該アクセスポイントからの再認証を受ける再認証処理と、
前記再認証処理の後、前記入力操作によって発生した前記アクセスポイントへ送信する送信データを送信する送信再開処理とを、
行うことを特徴とする無線ＬＡＮの省電力方法。
【請求項３】
通信ドライバ及び電力制御ドライバがアプリケーション・プログラムの下で動作する無線携帯機器が無線ＬＡＮに接続して認証されている場合に、前記アプリケーション・プログラムが前記通信ドライバを介して行うデータ通信をＭＡＣプロトコル・ソフトウエアのデータフロー検知部が監視し、タイマーによる計測でデータ・フレームが一定期間検出されないときに、前記無線携帯機器は、
まず、前記無線ＬＡＮに関する情報を保存し、
次に、前記無線ＬＡＮとの接続及び認証を解除し、
その後、前記電力制御ドライバを介して送受信部を低電力化することを特徴とする無線ＬＡＮの省電力方法。
【請求項４】
請求項３記載の無線ＬＡＮの省電力方法によって前記無線携帯機器の送受信部が低電力化されている場合において、前記アプリケーション・プログラムが前記通信ドライバを介してデータ通信を再開し、前記データフロー検知部がデータ・フレームを検知したときに、前記無線携帯機器は、
まず、前記電力制御ドライバを介して前記送受信部の低電力状態を解除し、
次に、保存した前記無線ＬＡＮに関する情報を用いて該無線ＬＡＮへの接続と認証を行うことを特徴とする無線ＬＡＮの省電力方法。
【発明の詳細な説明】
【技術分野】
【０００１】
本発明は、無線ＬＡＮ（Local Area Network）における省電力方法、特に電池を電源とする携帯端末装置の消費電力低減技術に関するものである。
【背景技術】
【０００２】
【特許文献１】特開平１１−３１３３７０号公報
【０００３】
図２は、上記特許文献１に記載された従来の図である。
【０００４】
この移動パケット通信システムでは、移動端末装置ＰＳ１とゲートウエイＧＷとの間にコネクション（ＳＶＣ：Switching Virtual Circuit)が開設された状態で、移動端末装置ＰＳ１側において、データ送受信が行われていない時間を計時手段のタイマで監視している。そして、所定時間以上連続してデータ送受信が行われていない場合に、移動端末装置ＰＳ１からゲートウエイＧＷにスリープ通知を転送して、両装置間のコネクションを切断させ、かつ移動端末装置ＰＳ１が自身の動作状態をスリープ状態に遷移させるようにしている。
【０００５】
また、コネクションが切断された後、このコネクションを使用したパケットデータの伝送要求が発生した場合に、当該コネクションの開設時に記憶されたルーティング情報に基づいて、そのコネクションを再設定するようにしている。これにより、データ送受信が所定時間以上連続して停止された場合に、移動端末装置ＰＳ１がスリープ状態となって消費電力を低減することができるようになっている。
【発明の開示】
【発明が解決しようとする課題】
【０００６】
しかしながら、前記特許文献１には、移動端末装置ＰＳ１をスリープ状態に遷移させるためのタイマによる監視時間の具体的な数値例が示されていないが、スリープ状態への遷移の度にコネクションの切断と再設定が必要となるので、伝送効率やゲートウエイＧＷ側の負荷の影響等を考慮するとあまり短い時間を設定することはできない。従って、スリープ状態への移行による消費電力の低減効果にも限界があるという課題があった。
【０００７】
本発明は、無線携帯端末の送受信部の電源をきめ細かく制御することにより、更に徹底した省電力化を可能とする無線ＬＡＮの省電力方法を提供することを目的としている。
【０００８】
また、従来の技術では、省電力化の際に例えば液晶表示装置が暗く表示されたり動作速度が低下するなど、ブラウザ等を閲覧する者がその事実に気付き、不快な思いをすることが少なくなかった。そこで、本発明では、無線携帯端末の送受信部の省電力化に際し、この様な不快感を起こさせない省電力方法を提供することをも目的とする。
【課題を解決するための手段】
【０００９】
本発明は、無線ＬＡＮの省電力方法において、未認証の携帯端末装置が無線ＬＡＮを介して周期的に送信されるビーコン信号をサーチして所望のアクセスポイントから送られてきたビーコン・フレーム情報を取得するサーチ処理と、前記取得したビーコン・フレーム情報に基づいて前記携帯端末装置から前記アクセスポイントに対して認証要求を行って該アクセスポイントの認証を受ける認証処理と、前記認証を受けた前記携帯端末装置が前記アクセスポイントに対して接続要求を行って該アクセスポイントから接続許可を受ける接続処理と、前記接続許可を受けた前記携帯端末装置が前記アクセスポイントとの間でのデータ送受信に必要なネットワーク情報を保持する情報保持処理と、前記接続許可を受けた前記携帯端末装置が前記アクセスポイントとの間でデータ送受信を行う度に次のデータ送受信までの時間を監視し、所定の時間内に次のデータ送受信が行われなかったときに該アクセスポイントとの間でデータ送受信を行うハードウエアへの電力供給を停止する電力停止処理と、前記ハードウエアへの電力供給が停止されているときに、前記携帯端末装置の入力操作によって前記アクセスポイントへ送信する送信データが発生したときに、該ハードウエアへの電力供給を再開する電力供給処理と、前記ハードウエアへの電力供給の再開後、前記ネットワーク情報に基づいて前記アクセスポイントへのデータ送信を行う送信再開処理とを行うことを特徴としている。
【発明の効果】
【００１０】
本発明では、所望のアクセスポイントからのビーコン信号のサーチ処理、該アクセスポイントの認証処理及び接続処理で取得したデータ送受信に必要なネットワーク情報を保持している。これにより、データ送受信が所定時間行われなかったときに、データ送受信用のハードウエアへの電力供給を停止しても、このネットワーク情報を使用して直ちに送信再開処理を行うことができるので、無線ＬＡＮにおける携帯端末装置の徹底した省電力化を可能にすることができるという効果がある。
【００１１】
従来の技術では、省電力化の際に例えば液晶表示装置が暗く表示されたり動作速度が低下するなど、ブラウザ等を閲覧する者がその事実に気付き、不快な思いをすることが少なくなかった。しかし、本発明では、液晶表示装置が正常な表示を行いブラウザが表示を現に行っている最中でもネットワークからの離脱が頻繁に行われており、ブラウザ等を閲覧する者はあまりに短時間にネットワークからの離脱が行われるので、その事実に気付かず、当該閲覧者に対して省電力化に伴う不快感を与えることがないという効果を奏する。
【発明を実施するための最良の形態】
【００１２】
未認証の携帯端末装置は、無線ＬＡＮを介して送信されるビーコン信号をサーチして所望のアクセスポイントから送られてきたビーコン・フレーム情報を取得し、このビーコン・フレーム情報に基づいて該アクセスポイントからの認証と接続許可を受け、このアクセスポイントとの間でのデータ送受信に必要なネットワーク情報を保持する。
【００１３】
接続許可を受けた携帯端末装置は、アクセスポイントとの間でデータ送受信を行う度に次のデータ送受信までの時間を監視し、所定の時間内に次のデータ送受信が行われなかったときに該アクセスポイントとの間でデータ送受信を行うハードウエアへの電力供給を停止する。更に、データ送受信用のハードウエアへの電力供給が停止されているときに、携帯端末装置の入力操作によって送信データが発生すると、このハードウエアへの電力供給を再開すると共に、保持しているネットワーク情報に基づいてアクセスポイントへのデータ送信を行う。
【００１４】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１５】
図１は、本発明の実施例を示す携帯端末装置の構成図であり、ネットワーク・プロトコル・レイヤに従って記載されている。
【００１６】
この携帯端末装置は、ハードウエアである物理層、ＭＡＣ（Media Access Control）とＬＬＣ（Logical Link Control）のサブレイヤからなるデータリンク層、ＴＣＰ／ＩＰ（Transmission Control Protocol/Internet Protocol)のような上位層、及びアプリケーション・プログラムを備えたアプリケーション層で構成されている。
【００１７】
物理層は、アンテナを含む送受信部１、マウスやキーボード等の操作部２、ＣＰＵ（Central Processing Unit)やメモリ並びに液晶表示器等の端末本体部３、及び図示しない電池等の電源で構成されている。データリンク層、上位層及びアプリケーション層は、ソフトウエアで構成されているが、これらのソフトウエアは携帯機器に適したＩＴＲＯＮ（Industrial The Realtime Operation system Nucleus）のような基本ソフトの管理下で動作するようになっている。但し、ここでは簡素化のために、基本ソフトの存在を無視して説明を行う。
【００１８】
アプリケーション層は、ブラウザ（browser)やメーラー（mailer）等のアプリケーション・プログラム１０と、ハードウエアの動作を制御する通信ドライバ２０及び電力制御ドライバ３０を有している。ブラウザは、携帯端末装置が無線ＬＡＮを介してインターネットに接続されている場合に、インターネット上の情報を閲覧するためのプログラムであり、メーラーは、インターネットを介して電子メールの送受信を行うプログラムである。
【００１９】
通信ドライバ２０は、アプリケーション・プログラム１０からの送受信要求に基づいて送受信部１を制御するものであるが、通常の送受信制御機能に加え、特に省電力化のための機能として、データフロー検知部２１、タイマＡ２２、ネットワーク情報保持部２３が設けられている。
【００２０】
データフロー検知部２１は、ブラウザ等のアプリケーション・プログラム１０におけるデータ送受信を監視し、送受信の終了時にタイマＡ２２を起動し、送受信が再開された時にこのタイマＡ２２をリセットするものである。但し、受信されたデータのうちで、他の端末装置宛のデータは無視される。タイマＡ２２は、起動された後、一定時間以内にリセットされない場合に、電力制御ドライバ３０に対して送受信部１への電力を停止させるための割り込み信号を出力するようになっている。また、ネットワーク情報保持部２３は、この携帯端末装置が接続しているネットワークに関する情報を保持するものである。なお、ネットワーク情報保持部２３の情報は、電源切断後も消去されずに保持されるようになっている。
【００２１】
このネットワーク情報保持部２３に保持される情報は、ＳＳＩＤ（Service Set Identification）、ＢＳＳＩＤ（Basic Service Set Identifier）、ネットワークの使用しているチャネル番号、及びビーコン・フレームの情報である。
【００２２】
ＳＳＩＤは、無線ＬＡＮで特定のネットワークを指定するための識別名で、単にネットワーク・ネームと呼ばれることもある。このＳＳＩＤが一致した相手同士でなければ通信することができない。ＢＳＳＩＤは、同様に無線ＬＡＮで特定のネットワークを指定するための識別名の１つであるが、通常はそのネットワークの中心となるアクセスポイントのＭＡＣアドレスが用いられる。ビーコン・フレームは、使用するチャネルを介してアクセスポイントから一定間隔（例えば、１００ｍｓ）で送信される情報で、ＳＳＩＤ、ビーコン間隔、能力情報、通信レート、物理層のパラメータセット等が含まれている。
【００２３】
電力制御ドライバ３０は、携帯端末装置の動作状態を監視し、その動作状態に基づいて送受信部１や端末本体部３への電源の供給を制御するものであるが、通常の電源供給制御機能に加えて省電力化のための機能として、操作検知部３１、タイマＢ３２、省電力制御部３３が設けられている。
【００２４】
操作検知部３１は、キーボードやマウス等の操作部２の入力状態を監視し、入力が途絶えた時にタイマＢ３２を起動し、次の入力が開始された時にこのタイマＢ３２をリセットするものである。また、既に省電力モードになっているときに、操作部２の入力が検出されたときには、操作検出部３１は省電力制御部３３に対して通常の動作モードに戻すように制御するようになっている。
【００２５】
タイマＢ３２は、起動された後、一定時間以内にリセットされない場合に、端末本体部３を省電力化するための割り込み信号を出力するものである。また、省電力制御部３３は、タイマＡ２２及びタイマＢ３２からの割り込み信号に基づいて、送受信部１や端末本体部３への電源供給を制御するものである。
【００２６】
図３及び図４は、図１の携帯端末装置の動作を示すシーケンス図（１）及び（２）である。以下、これらの図３及び図４を参照しつつ、図１の携帯端末装置を用いた無線ＬＡＮにおける省電力方法について説明する。
【００２７】
（１）  起動から省電力モードまで
図３に示すように、携帯端末装置が起動されて端末本体部２が通常モードとなった時点では、この携帯端末装置とアクセスポイントとの間の無線回線は設定されていないので、省電力化のために送受信部１の電源はオフとなっている。
【００２８】
ここで、アプリケーション・プログラム１０として、例えばブラウザが起動され、操作部１からインターネットへの接続要求が入力されると、電力制御ドライバ３０の操作検知部３１で入力操作が検知される。これによりタイマＢ３２が起動され、例えば３分〜１０分程度の予め設定された時間監視が開始される。
【００２９】
これと同時に、アプリケーション・プログラム１０から電力制御ドライバ３０に接続要求が与えられ、省電力制御部３３によって送受信部１の電源がオンにされる。更に、アプリケーション・プログラム１０から通信ドライバ２０に接続要求が与えられ、通信ドライバ２０と送受信部１によるビーコンサーチが開始される。ビーコンサーチは、アクセスポイントとの間の無線回線を設定するために、アクセスポイントから周期的（例えば、１００ｍｓ毎）に送信されているビーコン信号を探索する操作である。アクセスポイントによってビーコン信号のチャネル番号が異なるので、チャネルをスキャンしながら、所望のアクセス・ポイントのビーコン信号を探す必要がある。
【００３０】
ビーコンサーチが完了すると、通信ドライバ２０とアクセスポイントとの間で、認証及び接続の操作が行われる。まず、ビーコンサーチで得られた所望のアクセスポイントからのビーコン・フレームの情報に基づいて、通信ドライバ２０側から認証要求を行い、アクセスポイントからの認証応答を受信する。更に、この認証応答に基づいて通信ドライバ２０側から接続要求を行い、アクセスポイントからの接続許可を受信する。これにより、アクセスポイントとの間の無線回線が設定される。これらの設定情報は、ネットワーク情報保持部２３に保持される。その後、通信ドライバ２０からアプリケーション・プログラム１０に接続完了の旨の通知が出されると共に、タイマＡ２２が起動されて例えば３０〜６０秒程度の予め設定された時間監視が開始される。また、送受信部１は、パワーセーブモードに移行される。
【００３１】
送受信部１のパワーセーブモードは、例えばＡＮＳＩ／ＩＥＥＥ  ｓｔｄ  ８０２．１１（１９９９年版）に定められた無線ＬＡＮにおける省電力のための動作モードで、アクセスポイントから周期的に送信されるビーコン信号のタイミングに合わせて携帯端末装置の受信部を動作させ、それ以外のタイミングではデータを送受信する場合以外、送受信部１の動作を停止させる動作モードである。
【００３２】
このような状態で、操作部２からの入力毎にタイマＢ３２は再起動され、それまでの監視時間がリセットされて新たに時間監視が開始される。また、操作部２からの入力がアクセスポイント宛ての送信データである場合には、パワーセーブモードの元で、送受信部１から送信データが送信されると共に、通信ドライバ２０内のタイマＡ２２が再起動される。一方、アクセスポイントから、この携帯端末装置宛のデータを受信した場合には、受信データがアプリケーション・プログラム１０へ転送されると共に、通信ドライバ２０内のタイマＡ２２が再起動される。このように、アクセスポイントとの間でデータの送受信が頻繁に行われている間は、タイマＡ２２及びタイマＢ３２はその都度再起動され、タイムアウトは発生しない。
【００３３】
ここでデータの送受信が一定時間途絶えると、タイマＡ２２がタイムアウトとなり、省電力制御部３３への割り込み信号が発生する。これにより、省電力制御部３３から送受信部１に対して、電源をオフにするための制御が行われ、送受信部１は完全なオフ状態となる。これにより、携帯端末装置はアクセスポイントから周期的に送られるビーコン信号を受信できなくなるが、一連のデータ送受信は完了しているので、問題は全く生じない。また、アクセスポイント側においても、ビーコン信号に対する応答を要求しないので、問題はない。なお、この状態においては、携帯端末装置におけるデータ送受信以外の処理、例えばブラウザへの表示やスクロール等は続行される。
【００３４】
更に、操作部１からの入力が途絶えて所定の時間が経過すると、タイマＢ３２がタイムアウトとなり、省電力制御部３３への割り込み信号が発生する。これにより、省電力制御部３３から端末本体部３に対して、省電力モードにするための制御が行われる。これにより、携帯端末装置は、再起動のために必要な動作状態の保持や操作部２からの入力を受け付けるための最小限の機能を残し、それ以外の動作がすべて停止される省電力モードに移行する。
【００３５】
（２）  省電力モードから再起動まで
図４に示すように、携帯端末装置が省電力モードの場合、送受信部１の電源はオフとなっている。ここで、操作部２から入力があると、電力制御ドライバ３０の操作検知部３１で入力操作が検知される。これにより省電力制御部３３によって端末本体部３が通常モードに戻されると共に、送受信部１は電源が投入されてパワーセーブモードに復帰する。
【００３６】
なお、送受信部１の電源がオフになっただけで、端末本体部３が省電力モードになっていない状態、即ち通常モードの状態で操作部２から入力があった場合には、省電力制御部３３では単に送受信部１に電源を投入する。これにより送受信部１は、パワーセーブモードに復帰する。
【００３７】
更に、タイマＡ２２及びタイマＢ３２が起動され、それぞれの時間監視が開始される。その後、操作部２からの入力がアクセスポイント宛ての送信データである場合には、パワーセーブモードの元で、ネットワーク情報保持部２３に保持されたアクセスポイントとの間の無線回線の設定情報に基づいて、送受信部１から送信データが送信される。その後、携帯端末装置は、（１）で説明したデータ送受信の動作へ移行する。
【００３８】
このように、本実施例の携帯端末装置は、アクセスポイントとの間の無線回線の設定時に得られたネットワーク情報、即ち、ＳＳＩＤ、ＢＳＳＩＤ、使用チャネル番号及びビーコン・フレーム情報を、省電力モード時にも保持するネットワーク情報保持部２３を有している。従って、アクセスポイントとの間のデータ送受信が途絶えたときに送受信部１の電源をオフにしておいても、この送受信部１を再起動したときに改めて無線回線を設定する必要がなく、直ちに通信を再開することができる。これにより、送受信データが存在しないときには、送受信部１を完全にオフ状態にすることができるので、より徹底した消費電力の削減ができるという利点がある。
【００３９】
通信の再開は、例えば、上記ネットワーク情報を使わない場合には通常１秒以上（最大で２秒程度）かかるのに対し、このネットワーク情報を使った場合には１００ｍｓ程度で済む。送受信部１の起動時間もしくは停止時間も通常１０ｍｓ以下である。そこで、ネットワークからの離脱及び再接続を頻繁に行うことにより、大幅に省電圧化をはかることができる。
【００４０】
また、従来の記述では、前述したように、本体装置の省電力化の際に不快な思いを強制することが少なくなかった。しかし、本発明では、液晶表示装置が正常な表示を行い、ブラウザが表示を現に行っている最中でもネットワークからの離脱が頻繁に行われており、ブラウザ等を閲覧する者はあまりに短時間にネットワークからの離脱が行われるのでその事実に気付かず、当該閲覧者に対して省電力化に伴う不快感を与えることがないという効果を奏する。
【００４１】
なお、本発明は、上記実施例に限定されず、種々の変形が可能である。この変形例としては、例えば、次のようなものがある。
（ａ）  通信ドライバ２０や電力制御ドライバ３０等のソフトウエアの構成は一例であり、同等の機能を有するソフトウエアであれば、構成の組み合わせは任意である。例えば、ネットワーク情報保持部２３等をデータリンク層に組み込んで構成することもできる。なお、タイマＡ，Ｂはソフトウエアで構成することもできる。
（ｂ）  タイマＡ，Ｂの設定時間は一例であり、任意の時間を設定することができる。但し、送受信部１の電源をオフにするためのタイマＡの設定時間は、端末本体部３を省電力モードにするためのタイマＢの設定時間よりも短くする必要がある。
（ｃ）  省電力制御部３３では、タイマＡがタイムアウトとなったときに、直ちに送受信部１の電源をオフにしているが、アクセスポイントとの間の認証を解除し、接続要求を停止した後、送受信部１の電源をオフにするようにしても良い。その場合でも、最初に無線回線を設定した時に得られたネットワーク情報を消去せずに、ネットワーク情報保持部２３に保持しておくことにより、次に送受信部１の電源をオンにして認証要求を行う場合に、ビーコンサーチを行う必要がなくなるので、接続完了までの時間を短縮することができる。
【図面の簡単な説明】
【００４２】
【図１】本発明の実施例を示す携帯端末装置の構成図である。
【図２】従来の移動パケット通信システムの動作シーケンス図である。
【図３】図１の携帯端末装置の動作を示すシーケンス図（１）である。
【図４】図１の携帯端末装置の動作を示すシーケンス図（２）である。
【符号の説明】
【００４３】
１    送受信部
２    操作部
３    端末本体部
１０    アプリケーション・プログラム
２０    通信ドライバ
２１    データフロー検知部
２２，３２    タイマ
２３    ネットワーク情報保持部
３０    電力制御ドライバ
３１    操作検知部
３３    省電力制御部
【図１】
2006005577.tif 000003
【図２】
2006005577.tif 000004
【図３】
2006005577.tif 000005
【図４】
2006005577.tif 000006